(57)【要約】【課題】被覆スリーブの新替や、水密パッキン部の交換が不要であり、安価な費用で被覆スリーブの長期使用を可能とする舶用推進用プロペラ軸の被覆スリーブの構造を提供する。【解決手段】従来の被覆スリーブはストレート形状であるが、本例の被覆スリーブ１は予め削正代を設け、ゴム軸受けと摺動する軸受け部１ａが、水密部のある両端部１ｂよりも太い段付き形状とされている。　（イ）部のような削正代が摩耗するまで、水密パッキン部２００の改造なしで対応できる。　（ロ）部がゴム軸受けとの摺動で段摩耗又は電食が発生した場合には、この段摩耗部とストレートとなるように両端の　（ハ）　部を削正してアンダーサイズのゴム軸受けに交換する。被覆スリーブ１の両端に設けられた水密パッキン部２００は改造する必要がない。本例の被覆スリーブは長期使用が可能である。【選択図】図２
2004026002.tif 000002
【特許請求の範囲】
【請求項１】
プロペラ軸の外周に装着され、船尾管の内部でゴム軸受けによって回転可能に支持されるとともに、その両端に水密パッキン部が設けられる舶用推進用プロペラ軸の被覆スリーブにおいて、
前記ゴム軸受けと摺動する軸受け部分を、前記水密パッキン部が設けられる両端部分よりも大径としたことを特徴とする舶用推進用プロペラ軸の被覆スリーブ。
【請求項２】
プロペラ軸の外周に装着され、船尾管の内部でゴム軸受けによって回転可能に支持されるとともに、その両端に水密パッキン部が設けられ、前記ゴム軸受けと摺動する軸受け部分を、前記水密パッキン部が設けられた両端部分よりも大径とした舶用推進用プロペラ軸の被覆スリーブの延命方法において、
前記ゴム軸受けとの摺動によって前記軸受け部分が減肉した場合に、当該部分を削正するとともに、前記軸受け部分の新たな外径に対応した新たな前記ゴム軸受けを該軸受け部分に設けることを特徴とする舶用推進用プロペラ軸の被覆スリーブの延命方法。
【発明の詳細な説明】
【０００１】
【発明の属する技術分野】
本発明は、舶用推進用プロペラ軸の外周に設けられて船尾管内でゴム軸受けに回転可能に支持される被覆スリーブと、その延命方法に関するものである。
【０００２】
【従来の技術】
図３に示すように、一般に船舶の推進用プロペラ軸１００の外周には被覆スリーブ１０１が焼きばめ等により取り付けられている。この被覆スリーブ１０１は船舶の船尾１０２に設けられた船尾管１０３に挿入され、船尾管１０３の内部において円筒形のゴム軸受け１０４，１０５を介して回転可能に支持されている。ゴム軸受け１０４，１０５の冷却と摺動抵抗の低減等のために、船尾管１０３内には海水が流されているが、この海水がプロペラ軸１００に浸入するとプロペラ軸１００が破損する場合があるので、被覆スリーブ１０１の両端ではプロペラ軸１００に海水が浸入しないようにするために水密パッキン部２００が設けられている。図４に拡大して示すように、この水密パッキン部２００は、被覆スリーブ１０１の一端の外周に設けられたＯリング２０１と、このＯリング２０１を所定位置に保持する押え板２０２とを有している。
【０００３】
【発明が解決しようとする課題】
前記プロペラ軸１００の被覆スリーブ１０１は、ゴム軸受け１０４，１０５と摺動するが、殆どの場合は被覆スリーブ１０１の側の摩耗が大きく、現状では使用過程で被覆スリーブ１０１のゴム軸受け１０４，１０５と接触する部分（図４の（Ａ）部）が段摩耗又は電食した場合、被覆スリーブ１０１の当該部分を削正し、さらにこの段摩耗部とストレートとなるように図５に示すように両端の　（Ｂ）　部を削正し、アンダーサイズのゴム軸受けに交換している。
【０００４】
しかしながら、上記のように被覆スリーブ１０１を削正した場合、被覆スリーブ１０１は外径が小さくなるので、被覆スリーブ１０１の両端に設けられた水密パッキン部２００もこれに合わせて改造しなければならない。具体的には、Ｏリング２０１及び押え板２０２を適合サイズのものに交換しなければならない。
【０００５】
上記対応とせず、被覆スリーブ自体を新品と交換することも考えられるが、ユーザーのメンテナンス費用が増大するという問題があった。
【０００６】
被覆スリーブ自体を交換するのに適した構造としては、例えば特開昭６２−６８９４号にて船舶の海水潤滑式船尾管軸受構造が開示されている。これは、プロペラ軸のスリーブを軸受材に嵌挿される軸受けスリーブと、グランドパッキンに接するグランドパッキンスリーブに分割し、このうちグランドパッキンスリーブをプロペラ軸に嵌脱自在として摩耗時にグランドパッキンスリーブを交換してグランドパッキンを組み込めるようにしたものであるが、この構造においても被覆スリーブの少なくとも一部を交換しなければならず、ユーザーのメンテナンス費用が増大する点において前記問題を解消するものではない。
【０００７】
そこで、本発明は、ゴム軸受けとの摺動等によって被覆スリーブが摩耗した場合であっても、被覆スリーブの新替や、水密パッキン部の交換が不要であり、安価な費用で被覆スリーブの長期使用を可能とする舶用推進用プロペラ軸の被覆スリーブの構造を提供することを目的としている。
【０００８】
【課題を解決するための手段】
請求項１に記載された舶用推進用プロペラ軸の被覆スリーブは、プロペラ軸の外周に装着され、船尾管の内部でゴム軸受けによって回転可能に支持されるとともに、その両端に水密パッキン部が設けられる舶用推進用プロペラ軸の被覆スリーブにおいて、前記ゴム軸受けと摺動する軸受け部分を、前記水密パッキン部が設けられる両端部分よりも大径としたことを特徴としている。
【０００９】
請求項２に記載された舶用推進用プロペラ軸の被覆スリーブの延命方法は、プロペラ軸の外周に装着され、船尾管の内部でゴム軸受けによって回転可能に支持されるとともに、その両端に水密パッキン部が設けられ、前記ゴム軸受けと摺動する軸受け部分を、前記水密パッキン部が設けられた両端部分よりも大径とした舶用推進用プロペラ軸の被覆スリーブの延命方法において、前記ゴム軸受けとの摺動によって前記軸受け部分が減肉した場合に、当該部分を削正するとともに、前記軸受け部分の新たな外径に対応した新たな前記ゴム軸受けを該軸受け部分に設けることを特徴としている。
【００１０】
【発明の実施の形態】
本発明の実施の形態を図１及び図２を参照して説明する。
図２は、本例の被覆スリーブを装着したプロペラ軸と、従来のものとを一図で比較して示すための断面図であり、中心線について上半分を従来の形状・構造で表し、下半分を本例の形状・構造で表したものである。
【００１１】
この図から分かるように、従来の被覆スリーブ１０１はストレート形状であったが、本例の被覆スリーブ１は予め削正代を設け、ゴム軸受けと摺動する軸受け部１ａが、水密部のある両端部１ｂよりも太い段付き形状としたことを特徴とする。
【００１２】
即ち、図２に拡大して示すように、予め摩耗を見込んで　（イ）部のような削正代を設けておき、この部分が摩耗するまで、水密パッキン部２００の改造なしで対応することができる。
【００１３】
図２において、　（ロ）部に示すようにゴム軸受け１０４，１０５（図３に示す）との摺動による段摩耗又は電食が発生した場合には、この段摩耗部とストレートとなるように図２に示すように両端の　（ハ）　部を削正してアンダーサイズのゴム軸受けに交換する。
【００１４】
本例によれば、被覆スリーブ１の両端に設けられた水密パッキン部２００は改造する必要がない。被覆スリーブの厚さは各種船級により最小値が規制されており、ある程度の削正限界を越えた場合は被覆スリーブの新替が必要であったが、本例によれば削正代を設けたことにより長期使用が可能となった。
【００１５】
具体的な一例を挙げれば、外径２００ｍｍ軸系を約５年間使用した場合、新品時のスリーブ厚さが１５．５ｍｍ、船級規定の最低スリーブ厚さが１３．２ｍｍであり余裕が２．３ｍｍあるので、５年間使用時の摩耗量が約１．５ｍｍであるとすれば、約８年でスリーブの交換が必要になる。
【００１６】
しかし、本例によれば、外径２００ｍｍ軸系を約５年間使用した場合、新品時のスリーブ厚さが２０．５ｍｍ、船級規定の最低スリーブ厚さが１３．２ｍｍであり余裕が７．３ｍｍ　（水密部の改造が不要な部分の余裕は５ｍｍ）あるので、５年間使用時の摩耗量が同様に約１．５ｍｍであるとすれば、約１７年間スリーブの削正のみで、水密部の改造なしで継続使用が可能であり、また２４年間はスリーブの交換なしで継続使用可能であり、殆どの場合船の一生涯スリーブの交換が不要になる。
【００１７】
【発明の効果】
本発明によれば、ゴム軸受けと摺動する部分に削正代を設けたので、当該削正代の削正のみによってゴム軸受けとの摺動等による摩耗等に対応できるので、被覆スリーブの両端に設けられた水密パッキン部を改造する必要がなく、長期使用が可能となり、被覆スリーブの交換が殆ど不要となった。
【図面の簡単な説明】
【図１】本例と従来例を比較する図である。
【図２】本例の被覆スリーブの形状構造と、その摺動部の段摩耗に対応した削正を示す部分拡大断面図である。
【図３】プロペラ軸に被覆スリーブを装着して船尾管に装備した状態を示す断面図である。
【図４】従来の被覆スリーブの部分拡大断面図である。
【図５】従来の被覆スリーブにおける摺動部の段摩耗に対応した削正を示す部分拡大断面図である。
【符号の説明】
１…被覆スリーブ、２００…水密パッキン部
１０４，１０５…ゴム軸受け
【図１】
2004026002.tif 000003
【図２】
2004026002.tif 000004
【図３】
2004026002.tif 000005
【図４】
2004026002.tif 000006
【図５】
2004026002.tif 000007